(57)【要約】【課題】本発明は、市販の家庭用炭酸飲料水容器を一旦開栓し飲み残しを保存する時、ボトル付属のキャップで密栓しても、飲料水中の炭酸ガスが時間経過とともに飲料水より抜け出し、炭酸飲料としての清涼感と風味が失われていく事の防止と、家庭用冷蔵庫での収納保存に関するものであり、且つまた当該密栓の脱着操作が容易な密栓を提供する事にある。【解決手段】炭酸飲料水容器開栓後に当該容器付属のキャップに替り、本発明のコンパクトな加圧ポンプで加圧し密栓する。加圧操作完了後、［図４］の如くピストン部（４）をシリンダー部（５）に収納、最短長にし、家庭用冷蔵庫ドアーポケットにも収納可能とする。更に、［図４］にある様に（１）に（２）を嵌め合わせ一体化した場合、ポンプヘッドキャップ（１）の直径を場合によっては更に大きくする事により、更により小さな力で、かつ１度の操作で本発明密栓が飲料水容器より脱着可能となる事を特徴とする。【選択図】図４
2015164863.tif 000002
【特許請求の範囲】
【請求項１】
ペットボトル入り炭酸飲料水容器を一旦開栓した後、当該ボトルの雄ネジ部に加圧ポンプピストンシリンダー部（５）と一体のペットボトル雌ネジ込みキャップ（２）を密閉装着し、ポンプヘッドキャップ（１）と一体の加圧ポンプピストン部（４）を、加圧ポンプのピストンシリンダー部（５）内を加圧ポンプのピストン部（４）を上下させて空気をペットボトルに送り込み加圧、一定加圧操作後（４）を（５）に押し込み収納し、全体上下長を最小にし、通常の家庭用冷蔵庫ドアーポケットにも収納可能となる長さにした事を特徴とする炭酸飲料水容器用加圧密閉栓である。
【請求項２】
本発明手段にてペットボトルを加圧した場合、ボトルの開閉にはペットボトル雌ネジ込みキャップ（２）を左右に廻しながら開閉するが、ボトル内部圧力が大きくなると、キャップ直径の小さなキャップ（２）では開栓に加える力が必要となり女性、子供では困難な場合もあり、直径のより大きなポンプヘッドキャップ（１）をキャップ（２）に嵌める合わせ、支点作用点間距離を大きくする事により、開閉がより小さな力で可能となり、ヘッドキャップ（１）を回転させる１度の操作で当該密栓全体を取り外せる事が可能であることを特徴とする請求項１記載の炭酸飲料水容器用加圧密閉栓。
【発明の詳細な説明】
【技術分野】
【０００１】本発明は、市販の家庭用炭酸飲料水容器を一旦開栓し飲み残しを保存する時、当該容器付属キャップで密栓しても、飲料水中の炭酸ガスが時間経過とともに飲料水より抜け出し、炭酸飲料としての清涼感と風味が失われていく事の防止と、冷蔵庫収納保存と密栓の操作性に関するものである。
【背景技術】
【０００２】従来、炭酸飲料水をポンプ又は中空球状又は楕円又はそれに類する形状のエラストマーにて加圧密閉する商品はあった。
しかし、炭酸飲料水容器に装着したまま家庭用冷蔵庫等で保存する必要があり、その場合には冷蔵庫の１，５〜２，０リットル入りペットボトル用ドアーポケット等に立てて保管するのが通常であった。
その場合、一般的な家庭用冷蔵庫のドアーポケットでは加圧密閉具を装着したままでは全体の長さが大きくなるため、当該のドアーポケットに収納すると、冷蔵庫ドアーが閉まり難いなどの問題があり、従前には加圧密閉具を装着したまま問題なく収納可能な程度の大きさの加圧密閉具はなかった。
【先行技術文献】
【特許文献】
【０００３】
【特許文献１】実開平７−９７５５号  公報
【特許文献２】登録実用新案  第３０４３５１０号  公報
【発明の概要】
【発明が解決しようとする課題】
【０００４】これは、次の様な欠点があった。従来の加圧密閉具は、加圧密閉の為の密栓と加圧作業する部分（エラストマーやポンプ部分）と炭酸飲料容器部分との合計上下長が大きくなり、家庭用冷蔵庫のドアーポケット等に収納しにくくなる場合が多々有った。
また、従前の加圧密閉具は、キャップを開ける場合内部圧力が大きい為にキャップフックや密閉の為のネジは固く、外し難いという欠点もあり、更に飲み物をボトルからグラスなどに注ぐ場合には、前述のキャップフックを外し又はネジを緩めて圧力を抜き、更に全体を取り外すと言う２段階操作が必要であった。
本発明は、以上の様な欠点を無くす為になされたものである。
【課題を解決する為の手段】
【０００５】炭酸飲料水容器開栓後の保存には、以前よりポンプやその他の用具を用いて炭酸飲料水容器内圧力を上昇させ、飲料水に溶解している炭酸ガスが飲料水より抜け出る事を防止してきた。
【０００６】その場合、炭酸飲料水容器にポンプとその密栓が一体のポンプ類を装着したまま保存しようとすると、当該ポンプ類と当該容器全体の合計長さが大きくなり、通常の家庭用冷蔵庫ドアーポケット等に収納しようとした場合、冷蔵庫ドアーが閉まり難い場合が多々あった。
【０００７】そこで、炭酸飲料水容器の内部に収納可能なコンパクトなポンプピストン部（４）とポンプシリンダー部（５）を  当該容器内部に収納し、ポンプヘッド（１）を上下操作で加圧後は、ポンプピストン部（４）をシリンダー（５）内部に収納し、ポンプヘッドキャップ（１）を押し下げ［図４］の如く上下長さを最小にする事で冷蔵庫ドアーポケットにも収納可能な炭酸飲料用加圧密閉栓とした。
【０００８】また、ペットボトルねじ込みキャップ（２）にポンプヘッドキャップ（１）を嵌合させることにより、より直径の大きなキャップとして使用可能で、因ってより小さな力で炭酸飲料水容器の開閉が可能になる。
【０００９】更に炭酸飲料水を飲料コップ等に注ぐ場合、ポンプヘッドキャップ（１）にペットボトルねじ込みキャップ（２）を嵌め合わせる事によりポンプヘッドキャップ（１）を緩め廻すことで同時に全体が外れ、本発明の炭酸飲料水容器用加圧密栓を１度の操作で取り外し内容物を飲料用容器などに注ぐ事が可能になり、利便性が増した。
本発明は、以上の構成よりなる炭酸飲料水容器用加圧密閉栓である。
【発明の効果】
【００１０】炭酸飲料水容器に装着する密栓とポンプ部分が加圧操作後には、炭酸飲料水容器と密栓ポンプ部全体の長さが短くなり、よりコンパクトにすることが可能になった。
その結果、家庭用の一般的な冷蔵庫のドアーポケットにも収納し易くなり、また加圧密閉キャップの取り外しがより小さな力と１度の操作で可能になると言う効果が生まれた。
【図面の簡単な説明】
【００１１】
【図１】本発明の底面図である。
【図２】本発明のポンプヘッドキャップ（１）にポンプピストン（４）が取り付けられた正面図である。
【図３】本発明のペットボトルねじ込みキャップ（２）にピストンシリンダー（５）が取り付けられた正面図である。ねじ込みキャップ（２）上面中央にはポンプピストン（４）貫通用の穴を設ける。
【図４】本発明の［図２］に［図３］を一体化し全体長さを最小にした場合の正面図である。
【発明を実施するための形態】
【００１２】以下、本発明の実施形態について説明する。
市販の家庭用炭酸飲料水容器は、一旦開栓すると容器内圧力の低下で飲料水に溶解している炭酸ガスが時間とともに飲料水部から抜け出し、炭酸飲料としての清涼感が損なわれ風味が低下する。
それを防止する為に、過去より炭酸飲料水容器内圧力を上昇させ、炭酸ガスの抜け出しを防止し、また飲料水の液体温度を下げて炭酸ガスの飲料水に対する溶解度を上昇させる方法がとられて来た。
【００１３】家庭で前述の防止策を実施するには、炭酸飲料水の圧力を外部からポンプなどで上昇させる事と、冷蔵庫で炭酸飲料水を冷却する事が知られている。
市場に販売されている炭酸飲料水の多くは１．５リットル容器で、当日飲み切り難く翌日に飲み残す事が多く、従来型のポンプ付き密栓でも炭酸飲料容器を加圧出来るが、容器を含めた全体の長さが大きくなり、炭酸飲料冷却する為の通常収納場所である家庭用冷蔵庫ドアーポケットには収納し難くかった。
【００１４】そこで、炭酸飲料水容器開栓後にポンプヘッドキャップ（１）の内側で嵌合させたペットボトル雌ネジ込みキャップ（２）とを一体化［図４］させて、ペットボトルネジ部にキャップ（２）の嵌合用雌ネジ部（３）と嵌合させ，締めつけてペットボトルを密閉させる。
その際、キャップ（２）のみでも、ペットボトル雄ネジ部に嵌合させて締めつけ、ペットボトルを密閉させることは可能であるが、前述の如く（１）と（２）を一体化させた状態で絞めつけ密閉する方が、キャップ（２）に比べヘッドキャップ（１）の直径が大きく、より小さい力で密閉可能である。
【００１５】次いで、ポンプヘッドキャップ（１）を上方にピストンシリンダー（５）からピストン（４）が引き抜け外れない程度に引き上げ後、ポンプヘッドキャップ（１）を押し下げてペットボトルに空気を押入れ加圧する。
【００１６】以後同様操作を繰り返し、ペットボトル自体が開栓前と同程度に硬くなるまで操作する。上記操作後、ピストンシリンダー（５）にピストン（４）を押し下げ、ペットボトルキャップ（２）の外周波形パターンを、ポンプヘッド（１）内周の波形パターンに合わせはめ込み、（２）を（１）に収納した正面図［図４］の様に全体長さを最小にし、家庭用冷蔵庫のドアーポケットにも収納可能となる長さにする事が可能である。
【００１７】また、ペットボトルキャップ（２）にヘッドキャップ（１）を嵌合させることにより、より直径の大きなキャップとして使用可能で、因ってより小さな力で炭酸飲料水容器の開閉が容易になる。
【００１８】更に炭酸飲料水を飲料コップ等に注ぐ場合、ポンプヘッドキャップ（１）を外すことで、ペットボトルキャップ（２）も同時に外れ、本発明の炭酸飲料水容器用加圧密栓を１回の操作で取り外し内容物を飲料用容器などに注ぐ事が可能になり、利便性が増した。
本発明は以上の様な構造である。
【符号の説明】
【００１９】  （１）ポンプヘッドキャップ
（２）ペットボトルねじ込みキャップ（中央上部に（４）貫通用穴あり）
（３）ペットボトルの雄ネジとの嵌合用雌ネジ部
（４）加圧ポンプのピストン部
（５）加圧ポンプのピストンシリンダー部
（６）加圧ポンプ空気逆止弁
【図１】
2015164863.tif 000003
【図２】
2015164863.tif 000004
【図３】
2015164863.tif 000005
【図４】
2015164863.tif 000006